(57)【要約】【課題】採光可能であって透視あるいは不透視な壁を構築するガラス製建材およびガラス製建材を使用した壁構造を提供する。【解決手段】採光可能であって透視あるいは不透視の長形なガラス製板体４の長さ方向両側を同じ方向へ直角状に折り曲げて連結片５を形成した枠材６からなり、枠材６相互の連結片５の端面を付き合わせて断面が長方形枠体とした主建材２と補強建材３とからなり、主建材２と補強建材３とは、主建材２の正面部２ａと補強建材３の側面部３ａとが平面状となるように直角状に配設し、主建材２と補強建材３との接合部との間にはシーリング材７を全長に充填した建材１であり、この建材１を組み立てた壁構造である。【選択図】  図１
2004176398.tif 000002
【特許請求の範囲】
【請求項１】
断面が長方形枠体であり、長形体とした主建材２と補強建材３とからなり、主建材２と補強建材３とは、主建材２の正面部２ａと補強建材３の側面部３ａとが平面状となるように直角状に配設するとともに主建材２と補強建材３の接合部間全長にはシーリング材７を充填したことを特徴とするガラス製建材。
【請求項２】
主建材２及び補強建材３は、採光可能であって透視あるいは不透視の長形なガラス製板体４の長さ方向両側を同じ方向へ直角状に折り曲げて連結片５を形成した枠材６からなり、枠材６相互の連結片５の端面を付き合わせて断面が長方形枠体とした長形体であることを特徴とする請求項１に記載するガラス製建材。
【請求項３】
主建材２は、枠材６相互の付き合わせた連結片５の端面間全長にクッション材８を嵌めたものである請求項１，２に記載するガラス製建材。
【請求項４】
補強建材３は、、枠材６相互の付き合わせた連結片５の端面間全長にシーリング材９を充填したものである請求項１，２に記載するガラス製建材。
【請求項５】
採光可能な透視あるいは不透視の材質からなり、断面が長方形枠体であって長形体とした主建材２の正面部２ａと、主建材２と同じ材質、同じ形状である補強建材３の側面部３ａとが平面状となるように直角状に配設するとともに主建材２と補強建材３の接合部間全長にはシーリング材７を充填した建材１を順次連設して上下、左右を枠体１０、１１により連結、固定して成ることを特徴とする壁構造。
【請求項６】
建材１は縦長に配設し、隣接する建材１間全長にはシーリング材７を充填したものである請求項５に記載する壁構造。
【請求項７】
建材１は横長に配設し、隣接する建材１間全長にはシーリング材７を充填したものである請求項５に記載する壁構造。
【発明の詳細な説明】
【０００１】
【発明の属する技術分野】
本発明は、ガラス製の建材と壁構造に関し、特に、建築物の外壁に使用して最適なガラス製の建材およびこの建材を使用した壁構造に関するものである。
【０００２】
【従来の技術】
ビルのような建築物における外壁は、コンクリートやアルミ建材を使用して構築しているものであるが、これらの建材は自然光を屋内に採り入れることができず、また、デザイン的にも優れたものではなかった。そこで、近年、コンクリートやアルミ建材の壁材に変えてガラス製建材を使用して建物の外壁を構築することが行われている。
【０００３】
図６は、従来の壁構造材として使用されているガラス製建材の一例を示すものである。この建材ａは、採光可能で透視あるいは不透視な長形ガラス板ｂの長さ方向両側を同じ方向へ直角状に折り曲げて連結片ｃとしたものであり、全体として偏平なＵ字形状としてある。
【０００４】
このような建材ａは、図７に示すように、縦長に立設したものを横方向へ順次連設し、この連設した建材ａは上下および左右を枠体ｄ、ｅによって固定し壁構造を構築する。通常は、図８に示すように、建材ａの平面部ｆを屋外に向け、連結片ｃを突設した側を屋内に向けて設置し、隣設する建材ａ間にはシリコーン樹脂やその他の材質からなるシーリング材ｇを充填してクッション材とするとともに雨仕舞い処理をして雨水が屋内に侵入しないようにしてある。
【０００５】
横方向へは空間の許容範囲で多数枚の建材ａを連設することができ、また、上下方向へ平面垂直状に多数積層することも可能である。従って、建物の一部、例えば、コンクリート壁の一部に建材ａを使用して外壁兼窓を構築することができ、また、建物の周囲全面を建材ａによって覆って外壁を構築することが可能である。しかも、平面壁だけではなく各種の曲線形状の壁構築も可能であり、全体として機能、デザイン性に優れた特徴を有している。しかも、構築作業が容易であり、経済的なメリットが期待できる利点を有している。
【０００６】
【発明が解決しようとする課題】
しかし、上記するガラス製建材ａで構築した外壁は、風圧試験の結果、平面部ｆ側は風圧（正圧）を受けた時、反対側に大きな負圧が生ずるという問題が生じた。即ち、強い風圧によっては平面部ｆに撓みや割れ、ひび割れ等を生じる危険性を有していた。
【０００７】
上記のことを勘案して出願人は、特願２００１−３４３９４７としてガラス製建材を提供した。この建材は、主建材２と補助建材６とを組み合わせたものであり、建物の外壁を構築した際、風圧に対して主建材２の内側に負圧が生ずることがなく、また、たとえ負圧が生じたとしても補助建材６によって強化されているので撓みや割れ、ひび割れ等を生じない利点を有している。しかし、近年、高層ビルが建てられているが、この建材は高層ビルの高層階で発生する強い風圧に対しては耐えられないことが判明した。
【０００８】
本発明は、上記するガラス製建材およびこの建材をを使用して構築した壁構造の問題点に鑑み、強い風圧に耐えて堅牢性を有し、特に、高層ビルの高層階で使用して最適であり、しかも、構築作業が容易なガラス製建材および壁構造を提供することを目的とするものである。
【０００９】
【課題を解決するための手段】
上記する目的を達成するために本発明ガラス製建材は、断面が長方形枠体であり、長形体とした主建材２と補強建材３とからなり、主建材２と補強建材３とは、主建材２の正面部２ａと補強建材３の側面部３ａとが平面状となるように直角状に配設するとともに主建材２と補強建材３の接合部間全長にはシリコン系のシーリング材７を充填したものである。
【００１０】
主建材２及び補強建材３は、採光可能であって透視あるいは不透視の長形なガラス板４の長さ方向両側を同じ方向へ直角状に折り曲げて連結片５を形成した枠材６からなり、枠材６相互の連結片５の端面を付き合わせて断面が長方形枠体とした長形体である。
主建材２は、枠材６相互の付き合わせた連結片５の端面間全長にクッション材８を嵌めたものであり、また、補強建材３は、、枠材６相互の付き合わせた連結片５の端面間全長にシリコン系のシーリング材９を充填したものである。
【００１１】
また、本発明壁構造は、採光可能な透視あるいは不透視の材質からなり、断面が長方形枠体であって長形体とした主建材２の正面部２ａと、主建材２と同じ材質、同じ形状である補強建材３の側面部３ａとが平面状となるように直角状に配設するとともに主建材２と補強建材３の接合部間全長にはシーリング材７を充填した建材１を順次連設して上下、左右を枠体１０、１１により連結、固定したものである。
この壁構造において、建材１は縦長に配設し、隣接する建材１間全長にはシーリング材７を充填したものであり、更に、建材１は横長に配設し、隣接する建材１間全長にはシーリング材７を充填したものである。
【００１２】
【発明の実施の形態】
以下、図面に従って、本発明の実施の形態を詳細に説明する。
図１、図２は、本発明に係るガラス製建材の一実施形態を示すものである。
採光可能であって透視可能なあるいは不透視な材質、例えば、ガラスからなる全体として長形体である建材１は、主建材２と補強建材３とからなっている。
【００１３】
主建材２および補強建材３は、長形なガラス製板体４の長さ方向両側を同じ方向へ直角状に折り曲げて連結片５を形成した偏平Ｕ字形状の枠材６を組み合わせたものである。即ち、向かい合わせた一対の枠材６相互の連結片５の端面を突き合わせ、水平断面が長方形枠体を構成するようにした長形体であり、主建材２および補強建材３はともに同じ材質、同じ形状から成っている。
【００１４】
上記する主建材２と補強建材３とは、主建材２の正面部２ａと補強建材３の側面部３ａとが平行状となるように並べて直角状に配設し、向き合う状態となっている主建材２と補強建材３との接合部間全長にわたってシーリング材７を充填して連結してある。
【００１５】
そして、主建材２を構成する枠材６の突き合わせた連結片５間の全長にはゴム、合成樹脂等からなる適度の弾性を有するクッション材８が嵌めてあり、また、補強建材３を構成する枠材６の突き合わせた連結片５間全長にはシーリング材９を充填して連結しておき、各連結部５相互の端面が直接に接触しないようになっている。
【００１６】
本発明ガラス製建材１は上記の構成であり、個々の建材１を縦長に配置し、かつ、横方向へ連設することにより、全体として採光壁を構成することができる。そして、建物の外壁を構築する場合には、建物の壁構築箇所において主建材２と補強建材３との平行面側（正面部２ａと側面部３ａ側）が建物の外側を向くようにして縦長に設置するとともに図３に示すように横方向に順次連接し、このようにして壁構築面に複数組み合わせた建材１の上下および左右を枠体１０、１１によって連結し、固定すればよい。
【００１７】
この際、図４に示すように、ある建材１の主建材２と、この建材１に隣設する建材１の補強建材３との全長間にはシーリング材７を充填して連結する。また、建材１と枠体１０、１１との間にはゴム、合成樹脂等からなる適度の硬さを有するパッキン１２を詰め込み、建材１を安定させておく。更に、図５に示すように、建材１の下面と下側枠体１１との間にはパッキン１３を詰めておき建材１を下側から支持するようにしてある。
【００１８】
上記した壁構造において、建材１は立設した状態で横方向に連設した場合であるが、同時に上下方向に連設するようにしてもよい。また、建材１は、縦長に配置するだけではなく、横長に配置し、前記と同じような手段で上下方向に組み合わせて連設するようにしてもよい。あるいは、縦向き配置と横向き配置とを組み合わせて外壁を構築するようにしてもよい。尚、上記のようにして壁を構築した後、建材１と建物との間は雨仕舞い処理をしておく。
【００１９】
【発明の効果】
以上、説明した本発明によれば、ガラス製建材１は、両側に連結片５を有するガラス製板体４からなる枠材６を組み合わせた主建材２と補強建材３とからなり、この主建材２と補強建材３とを直角状に連結したものを単体の建材１として使用し、複数の建材１を組み合わせて建物の外壁を構築するものであり、主建材２の正面部２ａを屋外向けた時、主建材２に風圧が加わることになる。しかし、主建材２の両測部は隣設する補強建材３にシーリング材７を介して連結してあるので、風圧によって主建材２が内側に撓むようになってもシーリング材７の引張力が作用して撓みが小さく押さえられることになる。
【００２０】
特に、主建材２は２枚の枠材６によって構成され、仮に、外側の平面部２ａに風圧が加わっても、外側と内側２枚の枠材６で風圧を受けるか、もしくは断面係数の大きい内側の枠材６で風圧を受け、しかも、枠材６の両側の連結部が補強建材３によって連結、補強されているので、主建材２の撓み幅が小さくなり、ひび割れや割れを生ずることがない。
【００２１】
正面部２ａを壁面と平行にした主建材２と、この主建材２に対して直交状に連結する補強建材３とを交互に配置することにより、構築した外壁全体に補強作用が働くので、主建材２の変形を抑えることができて、撓み現象も少なくなる。補強建材３の連結片５の端面間にはシーリング材９を充填し、また、主建材２と補強建材３との間にもシーリング材７が充填してあるので、各部分は連結され、かつ、雨仕舞い処理がなされるので、雨水が屋内に侵入することがない。
【００２２】
建材１は、全体が採光性を有しているので、太陽光を屋内に採り入れることが可能である。隣接する建材１は、シーリング材７を使用して連結し、枠体１０，１１で固定すればよく、壁構築を容易に行うことができる。
【図面の簡単な説明】
【図１】本発明ガラス製建材の斜視図である。
【図２】本発明ガラス製建材の平面図である。
【図３】本発明ガラス製建材を縦長に配置して構築した外壁の正面図である。
【図４】本発明壁構造の要部を平面から見た断面図である。
【図５】本発明壁構造の要部を側面から見た縦断面図である。
【図６】従来のガラス製建材の斜視図である。
【図７】従来のガラス製建材を使用して構築した外壁の正面図である。
【図８】従来のガラス製建材を使用して構築した外壁の要部を平面から見た断面図である。
【符号の説明】
１  建材
２  主建材
３  補強建材
４  ガラス板
５  連結片
６  枠材
７  シーリング材
８  クッション材
９  シーリング材
１０  枠体
１１  枠体
１２  パッキン
１３  パッキン
【図１】
2004176398.tif 000003
【図２】
2004176398.tif 000004
【図３】
2004176398.tif 000005
【図４】
2004176398.tif 000006
【図５】
2004176398.tif 000007
【図６】
2004176398.tif 000008
【図７】
2004176398.tif 000009
【図８】
2004176398.tif 000010